(57)【要約】【課題】比較的に多量の排泄物を保持することのできる収容スペースを有し、かつ、排泄物の横漏れを確実に防止しうるバリアカフを備える使い捨て着用物品の提供。【解決手段】使い捨て着用物品１０は、ウエストパネル１６と、前後ウエスト域１１，１２の一部及びクロッチ域１３を画定するクロッチパネル１７と、少なくともクロッチ域１３に配置された吸液構造体１５とを有する。クロッチパネル１７は、横方向Ｘの両側に位置する弾性の内側バリアカフ６０と弾性の外側バリアカフ６１とを有し、外側バリアカフ６１は、ウエストパネル１６の外面に横方向Ｘの外向きに固定され、内側バリアカフ６０は、ウエストパネル１６の外面に横方向Ｘの内向きに固定される。【選択図】図１
2014198135.tif 000002
【特許請求の範囲】
【請求項１】
縦方向及びそれに直交する横方向を有し、前ウエスト域と、後ウエスト域と、前記前後ウエスト域間に位置するクロッチ域と、前記前後ウエスト域を画定するウエストパネルと、前記ウエストパネルに取り付けられた、前記前後ウエスト域の一部及び前記クロッチ域を画定するクロッチパネルと、少なくとも前記クロッチ域に配置された吸液構造体とを含む使い捨て着用物品において、
前記クロッチパネルが、前記横方向の両側に位置する弾性の内側バリアカフと弾性の外側バリアカフとを有し、
前記外側バリアカフは、前記ウエストパネルの外面に前記横方向の外向きに固定され、前記内側バリアカフは、前記ウエストパネルの外面に前記横方向の内向きに固定される前記着用物品。
【請求項２】
前記内側バリアカフには、内面視において視認可能な装飾要素が配されている請求項１に記載の着用物品。
【請求項３】
前記内側バリアカフの内側縁に沿って、複数条のストリング状又はストランド状の内側レッグ弾性体が配設されており、前記外側バリアカフには複数条のストリング状又はストランド状の外側レッグ弾性体が配置される請求項１に記載の着用物品。
【請求項４】
前記内側レッグ弾性体には、色彩が付されている請求項１〜３のいずれかに記載の着用物品。
【請求項５】
前記クロッチパネルは、ベースシートと、前記吸液構造体の前記横方向の両側において縦方向へ延びる一対のサイド弾性部とを有し、前記ベースシートは、前記吸液構造体の位置する中央部と、前記中央部の前記横方向の外側に位置する両側部とを有し、前記サイド弾性部は、前記ベースシートの前記両側部の外側部位を内方へ折り曲げてその内側部位に接合域を介して固定して形成されたものであって、前記内側バリアカフは前記接合域から前記横方向の内側に延びており、前記外側バリアカフは前記接合域から前記横方向の外側へ延びる請求項１〜４のいずれかに記載の着用物品。
【請求項６】
前記ベースシートは、クロッチ内面シートとクロッチ外面シートとから構成されており、前記クロッチ内面シートが、白色又は乳白色を有する防漏プラスチックフィルムから形成される請求項５に記載の着用物品。
【請求項７】
前記内側レッグ弾性体が、前記外側レッグ弾性体の伸長倍率よりも高い伸長倍率で収縮可能に固定される請求項３〜６のいずれかに記載の着用物品。
【請求項８】
前記内側レッグ弾性体における前記横方向の離間寸法は、約１〜１０ｍｍである請求項３〜７のいずれかに記載の着用物品。
【請求項９】
前記吸液構造体に着脱可能に取り付けられる吸収性パッドをさらに有し、前記吸収性パッドの両側縁のうち少なくとも一方が前記サイド弾性部の内側縁よりも前記横方向の外側に位置する請求項１〜８のいずれかに記載の着用物品。
【請求項１０】
前記吸液構造体は、超吸収性ポリマー粒子を含む吸収性コアと、着用者の身体側に位置する透液性の第１シートと、前記身体側の反対側に位置する不透液性の第２シートと、前記第１シートと前記第２シートとが互いに接合された非吸液域と、前記非吸液域に囲まれた、前記吸収性コアが包被された吸液域とを有する請求項１〜９のいずれかに記載の着用物品。
【発明の詳細な説明】
【技術分野】
【０００１】
本発明は、使い捨て着用物品に関し、より詳しくは、クロッチ域において排泄物の横漏れを防止するためのバリアカフが配設された使い捨ておむつ、使い捨てトイレット・トレーニングパンツ、使い捨て失禁パンツ、使い捨ての生理用パンツ等の使い捨て着用物品に関する。
【背景技術】
【０００２】
従来、クロッチ域において排泄物の横漏れを防止するためのバリアカフが配設された使い捨て着用物品は公知である。例えば、特許文献１には、前後ウエスト域を画定するウエストパネルと、クロッチ域を画定するクロッチパネルと、クロッチパネルの内面に配置された吸液構造体とを有し、クロッチパネルの両側部において、レッグ弾性体によって起立するバリアカフが配置された使い捨て着用物品が開示されている。
【先行技術文献】
【特許文献】
【０００３】
【特許文献１】特許第４２４０４６３号明細書（ＪＰ  ４２４０４６３  Ｂ２）
【発明の概要】
【発明が解決しようとする課題】
【０００４】
特許文献１に開示の使い捨て着用物品によれば、着用状態において、バリカフが着用者の身体に向かって起立し、ウエストパネルに取り付けられたクロッチパネルが吊り吊り下げられたような状態となるので、クロッチパネルの内部には比較的に容積の大きい排泄物の収容スペースが形成される。
【０００５】
しかし、このように、クロッチパネルがウエストパネルに吊り下げられた状態においては、クロッチパネルの中央部に位置する吸液構造体が着用者の身体と離間し、レッグ開口縁部と身体との間に隙間が生じて排泄物が横漏れするおそれがある。
【０００６】
そこで、本発明の課題は、比較的に多量の排泄物を保持することのできる収容スペースを有し、かつ、排泄物の横漏れを確実に防止しうるバリアカフを備える使い捨て着用物品の提供に関する。
【課題を解決するための手段】
【０００７】
前記課題を解決するために、本発明は、縦方向及びそれに直交する横方向を有し、前ウエスト域と、後ウエスト域と、前記前後ウエスト域間に位置するクロッチ域と、前記前後ウエスト域を画定するウエストパネルと、前記ウエストパネルに取り付けられた、前記前後ウエスト域の一部及び前記クロッチ域を画定するクロッチパネルと、少なくとも前記クロッチ域に配置された吸液構造体とを含む使い捨て着用物品に関する。
【０００８】
本発明に係る使い捨て着用物品は、前記クロッチパネルが、前記横方向の両側に位置する弾性の内側バリアカフと弾性の外側バリアカフとを有し、前記外側バリアカフは、前記ウエストパネルの外面に前記横方向の外向きに固定され、前記内側バリアカフは、前記ウエストパネルの外面に前記横方向の内向きに固定される。
【発明の効果】
【０００９】
本発明に係る使い捨て着用物品の一つ以上の実施態様によれば、クロッチパネルがウエストパネルの外側に取り付けられ、その内部空間が袋状を呈し、より多量の排泄物を吸収、保持することができる。また、クロッチ域の両側部に、内倒しされて固定された内側バリアカフと、外倒しされて固定された外側バリアカフとを有するバリアカフが配置されており、外側バリアカフによってクロッチパネルが吊り上げられるとともに、内側バリアカフが内方へ延び、バリアカフ全体が平面状に着用者の大腿部に当接するので、排泄物の横漏れを効果的に防止することができる。
【図面の簡単な説明】
【００１０】
【図１】本発明の第１実施形態における使い捨て着用物品の一例として示す、使い捨ておむつの斜視図。
【図２】おむつのサイドシームを剥離して前後方向に伸展した状態をその内面から見た一部破断展開平面図。
【図３】おむつの分解斜視図。
【図４】クロッチパネルの一部破断平面図。
【図５】クロッチパネルの一部破断展開平面図。
【図６】着用状態におけるクロッチ域の模式的断面図。
【図７】図１において矢印ＶＩＩからおむつの内部を視た状態を示す図。
【図８】図１のＶＩＩＩ−ＶＩＩＩ線に沿う断面図。
【図９】第２実施形態におけるおむつの図２と同様の一部破断展開平面図。
【図１０】第２実施形態における図７と同様のオムツの内部を視た状態を示す図。
【図１１】第２実施形態における図６と同様の模式的断面図。
【図１２】第３実施形態におけるおむつの図２と同様の一部破断展開平面図。
【発明を実施するための形態】
【００１１】
＜第１実施形態＞
図１〜図３を参照すると、本発明の着用物品の一例として示す使い捨ておむつ１０は、縦方向Ｙとそれに直交する横方向Ｘと、横方向Ｘの幅寸法を二等分する仮想縦中心線Ｐ−Ｐと、縦方向Ｙの幅寸法を二等分する仮想横中心線Ｑ−Ｑとを有する。おむつ１０は、縦仮想中心線Ｐ−Ｐに関して対称である。
【００１２】
おむつ１０は、前ウエスト域１１と、後ウエスト域１２と、前後ウエスト域１１，１２間に位置するクロッチ域１３とを有するシャーシ１４と、少なくともクロッチ域１３の肌対向面に連結された吸液構造体１５とを含む。シャーシ１４は、肌対向面及びそれに対向する非肌対向面と、ウエスト回り方向に延びる環状かつ弾性のウエストパネル１６と、ウエストパネル１６の非肌対向面に連結されたクロッチパネル１７とを有する。ウエストパネル１６は、前ウエスト域１１を形成する前ウエストパネル１８と、後ウエスト域１２を形成する後ウエストパネル１９とから構成される。
【００１３】
前ウエストパネル１８は、クロッチパネル１７と交差し、横方向Ｘへ延びる内端縁１８ａと、縦方向Ｙにおいて内端縁１８ａと離間対向して横方向Ｘへ延びる外端縁１８ｂと、内外端縁１８ａ，１８ｂ間において縦方向Ｙへ延びる両側縁１８ｃ，１８ｄとによって横長矩形状に形成される。
【００１４】
後ウエストパネル１９は、前ウエストパネル１８とほぼ同形同大であって、クロッチパネル１７と交差し、横方向Ｘへ延びる内端縁１９ａと、縦方向Ｙにおいて内端縁１９ａと離間対向して横方向Ｘへ延びる外端縁１９ｂと、内外端縁１９ａ，１９ｂ間において縦方向Ｙへ延びる両側縁１９ｃ，１９ｄとによって横長矩形状に形成される。
【００１５】
前ウエストパネル１８の両側縁１８ｃ，１８ｄのそれぞれと後ウエストパネル１９の両側縁１９ｃ，１９ｄのそれぞれとは、互いに重ね合わされて、縦方向Ｙへ断続的に延びるシーム２０によって連結され、ウエスト開口２１及び一対のレッグ開口２２とが画定されている（図１参照）。シーム２０は、公知の接合手段、例えば、熱エンボス加工、ソニック加工等の各種の熱溶着手段によって施される。
【００１６】
＜前後ウエストパネル＞
前前ウエストパネル１８，１９は、肌対向面側に位置する内面シート２４，２６と、非肌対向面側に位置する外面シート２５，２７とを有する。内外面シート２４，２５，２６，２７は、質量約１５〜３０ｇ／ｍ２の実質的に難透液性のＳＭＳ（スパンボンド・メルトブローン・スパンボンド）繊維不織布、スパンボンド繊維不織布、プラスチックシート、又はそれら不織布の少なくとも一つとのラミネートシートから形成することができる。内面シート２４，２６と外面シート２５，２７との内面どうしは、ホットメルト接着剤又は前記熱溶着手段によって接合される。
【００１７】
前後ウエストパネル１８，１９の内外面シート２４，２５，２６，２７間には、それぞれ、横方向Ｘへ延びる複数条のストリング状又はストランド状の前後ウエスト弾性体３０，３１が横方向Ｘへ伸長下に配設される。前後ウエストパネル１８，１９は、それぞれ、前後ウエスト弾性体３０，３１が横方向Ｘへの伸長下に配設されることによって少なくとも横方向Ｘへ収縮可能に弾性化されている。内外面シート２４，２５，２６，２７は、両シートの接合状態がおむつ１０の取り扱い中、着用中などに剥離するおそれがない限りにおいて、前後ウエスト弾性体３０，３１のほぼ全周面に塗布したホットメルト接着剤を介してのみ互いに接合されていてもよい。
【００１８】
前ウエスト弾性体３０は、前ウエストパネル１８の外端縁１８ｂに沿って横方向Ｘへ延びる前上方ウエスト弾性体３０Ａと、外端縁１８ｂに沿って横方向Ｘへ延びる前下方ウエスト弾性体３０Ｂとから構成される。前下方ウエスト弾性体３０Ｂは、内端縁１８ａ側に比べて外端縁１８ｂ側において密に配置されており、前上方ウエスト弾性体３０Ａと前下方ウエスト弾性体３０Ｂ間には弾性部材が配置されていない非弾性域３２が形成される。
【００１９】
後ウエスト弾性体３１は、後ウエストパネル１９の外端縁１９ｂに沿って横方向へ延びる後上方ウエスト弾性体３１Ａと、外端縁１９ｂに沿って横方向Ｘへ延びる後下方ウエスト弾性体３１Ｂとから構成される。後下方ウエスト弾性体３１Ｂは、内端縁１９ａ側に比べて外端縁１９ｂ側において密に配置されており、後上方ウエスト弾性体３１Ａと後下方ウエスト弾性体３１Ｂ間には弾性部材が配置されていない非弾性域３３が形成される。
【００２０】
＜クロッチパネル＞
クロッチパネル１７は、クロッチ域１３と前後ウエスト域１１，１２の一部を画定する縦長の略矩形状であって、前ウエストパネル１８の非肌対向面（外面）に連結された前端部１７Ａと、後ウエストパネル１９の非肌対向面に連結された後端部１７Ｂと、前後端部１７Ａ，１７Ｂ間において縦方向Ｙへ延びる中間部１７Ｃとを有する。また、クロッチパネル１７は、クロッチ積層シート３４と、クロッチ積層シート３４の肌対向面（内面）に配置された吸液構造体１５とを有する。吸液構造体１５は、吸液層３５と、透液性シートから形成された、吸液層３５の少なくとも肌対向面側を被覆する身体側ライナ３６とから構成されている。
【００２１】
クロッチパネル１７は、前端部１７Ａ及び後端部１７Ｂの肌対向面に位置する前接合域４０と後接合域４１を介して前後ウエストパネル１８，１９の外面に連結される。前後接合域４０，４１は、ホットメルト接着剤等の公知の接合手段から形成されており、クロッチ域１３に向かって開口した凹状であって、それぞれ、中央部位４０ａ，４１ａと、両側部位４０ｂ，４１ｂとを有し、両側部位４０ｂ，４１ｂ間にはホットメルト接着剤が塗布されていない非接合域４３，４４が画定されている。また、吸液構造体１５のクロッチ積層シート３４との対向面は、ホットメルト接着剤を塗布して形成された接合部４８を介してクロッチ積層シート３４の内面に固定されている（図６参照）。
【００２２】
クロッチパネル１７の前後端部１７Ａ，１７Ｂには、それを被覆するカバーシート４６，４７が取り付けられる。カバーシート４６，４７は、質量約１０〜３０ｇ／ｍ２の繊維不織布やプラスチックシートなどから形成されており、クロッチパネル１７の前後端部１７Ａ，１７Ｂと交差した状態で前後ウエストパネル１８，１９の非肌対向面にホットメルト接着剤（図示せず）を介して固定される。クロッチパネル１７の前後端部１７Ａ，１７Ｂがカバーシート４６，４７に被覆されることによって、おむつ１０の着用時において、着用者又は着用補助者が前後ウエストパネル１８，１９を指で掴んで引き上げるときに指が前後端部１７Ａ，１７Ｂに引っ掛かるおそれはない。また、カバーシート４６，４７が取り付けられることによって剛性が高くなるので、シート部材の一部が破れたりすることなく、カバーシート４６，４７は非接合域４３，４４と対向して位置し、該領域を指で掴んで安定的に引き上げることができる。
【００２３】
＜吸液構造体＞
吸液構造体１５を構成する身体側ライナ３６は、好ましくは親水化処理された、質量約１５〜３５ｇ／ｍ２の透液性を有する繊維不織布シートであって、例えば、スパンボンド繊維不織布、ポイントボンド繊維不織布及びエアスルー不織布等各種公知の繊維不織布から形成することができる。
【００２４】
吸液層３５は、パッドの形状に賦型された、ＳＡＰ（超吸収性ポリマー粒子）を含む吸液性コアと、それを包被する液拡散シートとから形成することができる。例えば、吸液層３５は、含有率約８０〜１００％の吸液性コアと、含有率２０％以下のフラッフ木材パルプと、吸液性コアの上面に位置する質量約１０ｇ／ｍ２の親水性不織布と、その下面に位置する質量約１１ｇ／ｍ２のＳＭＳ繊維不織布とを互いに重ね合わせてホットメルト接着剤を介して間欠的に接合することによって形成することができる。このように、吸液層３５がＳＡＰのみ又は僅かにフラッフ木材パルプを混合して形成されるので、従来の、ＳＡＰと含有率約２０以上のフラッフ木材パルプとを含む混合物から形成されている場合に比して薄く、クロッチパネル１７の動きに対して応動性が高いものといえる。
【００２５】
＜クロッチ積層シート（ベースシート）＞
図３及び４を参照すると、クロッチ積層シート３４は、実質的に不透液性の防漏フィルムから形成されたクロッチ内面シート５０と、不透液性の防漏フィルム又は繊維不織布から形成されたクロッチ外面シート５１とによって構成される。また、クロッチ内外面シート５０，５１の内面どうしは、ホットメルト接着剤（図示せず）を介して互いに接合され、それらの両側部は、内方へ折り曲げられて、縦方向へ延びるガスケット機能を有する一対のサイド弾性部５２が形成される。
【００２６】
各サイド弾性部５２を形成するクロッチ内外面シート５０，５１には、折曲部位の内側縁に沿って縦方向Ｙへ直状に延びる複数条のストリング状又はストランド状の内側レッグ弾性体５３と、折曲部位の外側縁に沿って縦方向へ直状に延びる複数条のストリング状又はストランド状の外側レッグ弾性体５４とがホットメルト接着剤を介して伸長状態で収縮可能に取り付けられる。
【００２７】
図５を参照すると、クロッチ積層シート３４において、サイド弾性部５２と吸液構造体１５が配置される中央部５５とは、それらの間に介在されたホットメルト接着剤を塗布した接合域を介して互いに接合されている。具体的には、クロッチ積層シート３４は、その展開状態において、横方向Ｘへ互いに並行して直状に延びる両端縁３４ａ，３４ｂと、縦方向Ｙへ互いに並行して直状に延びる両側縁３４ｃ，３４ｄとによって画成された矩形状であって、中央部５５と、中央部５５の横方向Ｘの両側に位置する両側部５６とを有し、両側部５６にはその幅寸法を２等分する折曲ライン５７が形成される。また、両側部５６は、折曲ライン５７の横方向Ｘの外方に位置する外側部位５６Ａと、折曲ラインの内方に位置する内側部位５６Ｂとに区分される。
【００２８】
クロッチ積層シート３４の内面には、折曲ライン５７に沿って縦方向Ｙへ延びる側部接合域５８と、クロッチ積層シート３４の両側縁３４ｃ，３４ｄ（サイド弾性部５２の内側縁５２ａ）から両端縁３４ａ，３４ｂに沿って内方へ延びる端部接合域５９とが形成され、折曲ライン５７に沿って両側部５６の外側部位５６Ａを内方へ折り返し、側部接合域５８と端部接合域５９を介して対向する内側部位５６Ｂと互いに接合することによって、サイド弾性部５２が形成される。内側レッグ弾性体５３は、側部接合域５８と重なる位置に配置される。
【００２９】
図６，７を参照すると、サイド弾性部５２には、内側レッグ弾性体５３の収縮作用によって着用状態において着用者の身体に倒伏した状態で接する内側バリアカフ（封じ込めカフ）６０と、外側レッグ弾性体５４の収縮作用によって着用状態において着用者の身体（図６において仮想線で示す）側へ起立する外側バリアカフ（ガスケットカフ）６１とが形成される。外側バリアカフ６１は外側レッグ弾性体５４の収縮作用によって起立して吸液構造体１５の両側縁の外側に起立部分６７が位置し、内側バリアカフ６０は、側部接合域５８を基端としておむつの内方へ延びている。このように、これらの２つの障壁が形成されることによって１つの障壁が形成される場合に比して排泄物の横漏れを効果的に防止しうる。
【００３０】
また、サイド弾性部５２はクロッチ積層シート３４を縦軸Ｐに向かって折り曲げて形成されており、その両端部は、前後接合域４０，４１の両側部位４０ｂ，４１ｂによって前後ウエストパネル１８，１９の外面に固定されており、内側バリアカフ６０は横方向Ｘの内向きに固定され、外側バリアカフ６１は横方向Ｘの外向きに固定されていることから、内側バリアカフ６０はいわゆる内倒しにされた立体カフを形成し、外側バリアカフ６１はいわゆる外倒しされた立体カフを形成する。すなわち、おむつの着用状態において、サイド弾性部５２は、起立部分（近位部）６７から横方向Ｘの内側に延びる内側バリアカフ（内側遠位部）６０と、起立部分６７から横方向Ｘの外側に延びる外側バリアカフ６１（外側遠位部）６１とを有する。したがって、外側バリアカフ６１は着用者の身体の外側へ向かって起立してクロッチパネル１７全体を前後ウエストパネル１８，１９に吊り上げるように作用するのに対し、内倒しにされた内側バリアカフ６０は外側バリアカフ６１の収縮作用と相俟って着用者の身体の内側に向かって延び、鼠径部に当接する。
【００３１】
図８を参照すると、本実施形態の態様を有する着用物品においては、吸液構造体１５が比較的に薄く柔軟であるためにクロッチ域１３の中央部が下方へ凸となる形状となって、クロッチパネル１７がウエストパネル１６に吊持された袋状の形態を呈する。かかる形態を有することによって、クロッチパネル１７の内部には、排泄物の収容スペース６２が画成されるので、クロッチパネル１７が着用者の臀部から離間した状態で吊持され、比較的に多量の排泄物を吸収、保持することができるとともに、クロッチパネル１７上に排泄された排泄物によって着用者の臀部が汚れるのを抑えることができる。また、前後接合域４０，４１間に非接合域４３，４４が画定されることによって空間部（前後ポケット）６４，６５が形成されるので、収容スペース６２をより大きくすることができる。
【００３２】
一方、クロッチパネル１７に排泄物が排泄されるとよりクロッチパネル１７の中央部と着用者の身体とがさらに離間して着用者の大腿部とサイド弾性部５２との隙間から排泄物の横漏れを生じるおそれがあるが、外側レッグ弾性体５４によって外側バリアカフ６１が伸長された状態で着用者の身体に向かって起立させ、かつ、内側バリアカフ６０を内方へ延出させて着用者の身体の鼠径部に当接させることができる。すなわち、外側バリアカフ６１が横方向Ｘの外側へ起立することによって内側バリアカフ６０の基端が上方へ持ちあげられて、内側バリアカフ６０が起立してその頂点（内側縁５２ａ）のみが着用者の身体に当接することを抑制される。それによって、サイド弾性部５２全体が平面状に着用者の身体と当接するので、サイド弾性部５２の頂点のみにおいて着用者の身体に当接させる場合に比して、より安定的にサイド弾性部５２を身体に密着させることができ、確実に排泄物の横漏れを防止することができる。
【００３３】
かかる効果を奏する限りにおいて、内側レッグ弾性体５３の本数、伸長倍率、離間寸法（ピッチ）等は適宜自由に設計変更してもよいが、その効果をより高めるために、内外側レッグ弾性体５３，５４を同一の弾性材料から形成した場合において、内側レッグ弾性体５３を外側レッグ弾性体５４よりも高い伸長倍率でサイド弾性部５２に配設することが好ましい。かかる場合には、内側バリアカフ６０の収縮時の形状が安定し、サイド弾性部５２はより平面的に身体に安定的に当接されるからである。また、内側レッグ弾性体５３は着用者の大腿部の付け根近傍に位置する内側部分に当接される一方、外側レッグ弾性体５４は内側レッグ弾性体５３が当接する部分よりも周囲寸法の大きい部分に当接するので、外側レッグ弾性体５４の伸長倍率を比較的に高くした場合には、外側レッグ弾性体５４による締め付け力が強くなり、着用者に圧迫感を与えたり肌に圧迫痕が付いたりして、着用感を損ねるおそれがある。したがって、外側レッグ弾性体５４の伸長倍率を内側レッグ弾性体５３のそれよりも相対的に低くすることによって、着用感の低下を防ぐことができる。また、内側レッグ弾性体５３が内倒し形態を維持するためには外側レッグ弾性体５４と所与寸法離間していることが好ましいところ、外側レッグ弾性体５４の伸長倍率を内側レッグ弾性体のそれよりも相対的に低くすることによって、内側レッグ弾性体５３と外側レッグ弾性体５４とが所与寸法離間している場合であっても、サイド弾性部５２全体が断面略Ｔ字形状の平面状を維持し、内側レッグ弾性体５３と外側レッグ弾性体５４とがともに起立して断面略Ｙ字形状で着用者の身体と当接することを抑制することができる。
【００３４】
＜第２実施形態＞
図９，１０を参照すると、クロッチパネル１７の内部には、吸液構造体１５とは別体の吸収性を有する吸収性パッド７０が配置される。吸収性パッド７０は、前後端縁部７０ａ，７０ｂと両側縁７０ｃ，７０ｄとによって画成された略矩形状であって、その横方向Ｘの寸法が吸液構造体１５のそれよりも僅かに大きく、かつ、その縦方向Ｙの寸法が吸液構造体１５のそれよりも僅かに小さいものであって、透液性の表面シート７１と、不透液性の裏面シート７２と、両シート７１，７２間に介在された超吸収性ポリマー粒子（ＳＡＰ）とフラッフパルプとの混合物を所定の形状に賦型して形成された芯材７３とを含む。吸液構造体１５上に吸収性パッド７０を配置することによって、おむつ１０全体の吸液性能が向上し、より多量の体液を吸収することができる。すなわち、吸液構造体１５が比較的に薄く柔軟性を有するものであることから、着用状態においてクロッチパネル１７が袋状を有してより多量の排泄物を収容できる一方、通常使用される、ＳＡＰとフラッフパルプとがほぼ均等の割合等で混合された吸液性部材等に比べて吸液性能が低く、複数回の排尿等による体液を吸収保持することができない。吸収性パッド７０を吸液構造体１５上に重ねて配置することによって、かかる吸液性能の低下を防ぐことができる。
【００３５】
吸収性パッド７０は、クロッチパネル１７の肌対向面側において縦方向Ｙへ延び、縦方向Ｙへ所与寸法離間して配置された固定手段７５a，７５ｂ，７５ｃを介して着脱可能に固定される。固定手段７５ａ，７５ｂ，７５ｃは、基材シートの表面にメカニカルファスナのフック部を配置したもの又は感圧性接着剤を塗布したものから形成される。吸収性パッド７０が、着用中にクロッチ域１３内において位置ずれしない限りにおいて、固定手段７５ａ，７５ｂ，７５ｃは単一のものであってもよいし、固定手段７５ａ，７５ｂ，７５ｃを設けずに、吸液構造体１５と重なるように配置するものであってもよい。
【００３６】
このように、おむつ１０を高齢者が着用する場合であって、第１実施形態のように比較的に薄い吸液構造体１５のみで体液を吸収するときには、全体としてごわごわして嵩張ったりすることはない。したがって、下着等の衣服が大きく膨らんだりせず、おむつ１０全体がすっきりとした外観を呈するので、着用者は、おむつ１０を着用していることに対する羞恥心等を抱くことなく外出することができる。一方、夜間には、クロッチパネル１７に吸収性パッド７０を配置することによって、複数回の排尿にも対応することができ、安心して就寝することができる。また、実際の吸液性能の向上とともに、吸収性パッド７０を配置することによって着用者には排尿に対する安心感を与えることができ、頻尿等の場合であっても安心して外出することができる。
【００３７】
また、本実施形態においては、内側レッグ弾性体５３には、おむつ１０の内面視において視認可能な色彩が付されている。内側レッグ弾性体５３の色彩は、他のシート部材や弾性部材と視覚的に判別できる色合いであって、青色、赤色、黄色等の有彩色のほかに、白色を除く黒色、灰色等の無彩色を含む。また、図示していないが、後記の効果を奏する限りにおいて、内側レッグ弾性体５３自体に色彩が付されている他に、内側バリアカフ６０全体又は少なくとも内側レッグ弾性体５３の固定された部分において、色彩、模様、図形等のおむつの内面視において視認可能な装飾要素を配置してもよい。内側バリアカフ６０にこのような装飾要素が配置されていることによって、着用者はウエスト開口から内部を覗き見たときに、内側バリアカフ６０の位置、形状を容易に把握することができる。また、このように、内側レッグ弾性体５３に色彩が付されている場合には、少なくともおむつ1０の内面視においてその色彩が視認できるように、クロッチ積層シート３４を構成するクロッチ内外面シート５０，５１が所要の光線透過率を有することが好ましい。
【００３８】
図１０を参照すると、吸収性パッド７０をクロッチパネル１７の肌対向面に載置する場合には、内側バリアカフ６０を捲り上げて、吸収性パッド７０の下方に吸収性パッド７０の両側縁７０ｃ，７０ｄを位置させ、吸液構造体１５と重なるように配置する。本実施形態においては、既述のとおり、サイド弾性部５２が平面状に着用者の身体に当接することによって排泄物の横漏れが効果的に防止される一方、内側バリアカフ６０が内方へ延びることによってその内側縁５２ａ間の横方向Ｘの寸法が小さくなり、吸収性パッド７０を配置し難くなる。また、図１１を参照すると、おむつ１０のウエスト開口２１から内部を覗いて吸収性パッド７０を配置するときに、サイド弾性部５２は平面的に視認されるので、内側バリアカフ６０の内側縁５２ａが他のシート部材と同様に白色である場合には判別し難い。特に比較的に視力の低下している高齢者が着用操作する場合には、内側縁５２ａの位置を把握することができず、吸収性パッド７０を内側バリアカフ６０上に配置したり、吸収性パッド７０を吸液構造体１５上に斜めに配置したりするおそれがある。かかる不適正な状態でおむつを着用した場合には、排泄物の漏れを誘発するおそれがある。
【００３９】
本実施形態においては、既述のとおり、内側バリアカフ６０の内側縁５２ａに沿って延びる内側レッグ弾性体５３に他のシート部材の色彩（白色）と異なる色彩が付されているので、それが目印となって内側バリアカフ６０の内側縁５２ａ間に位置する開口の形状、大きさが視覚的により明確となり、視力の低下した高齢者であっても、内側バリアカフを摘んでそれを捲って、又は内側バリアカフ６０を捲ることなくそのまま吸収性パッド７０を吸液構造体１５上に重ねて配置することができる。また、比較的に大きな吸収性パッド７０を使用する場合には、前後ウエスト弾性体３０，３１のうちの最内端に位置する弾性体に内側レッグ弾性体５３と同様に色彩を付すことが好ましい。かかる場合には、開口全体の形状、大きさをより視覚的に明確とさせることができ、サイド弾性部５２及び非接合域４３，４４を捲って吸収性パッドをクロッチパネルの内部に容易に配置することができる。また、内側レッグ弾性体５２の色彩は、開口から吸収性パッド７０を内側バリアカフ６０の下方に配置するための目印であることを包装パッケージに印刷して記すことも、ユーザーフレンドリーの観点から好ましい。
【００４０】
このように、内側レッグ弾性体５３を吸収性パッド７０を適正な位置に配置するための目印としてより視認され易くするために、クロッチ積層シート３４を構成するクロッチ内外面シート５０，５１のうちのクロッチ内面シート５０には、白色又は乳白色を有し、防漏性のプラスチックフィルムを用いることが好ましい。内側レッグ弾性体５３が白色又は乳白色の防漏性のプラスチックフィルムに固定されることによって、内側レッグ弾性体５３の色彩をより目立たせることができるからである。また、本実施形態の内側レッグ弾性体５３には、第１形態と同様のものを使用することができるが、各弾性体間の横方向Ｘの離間寸法（ピッチ）は、約１〜１０ｍｍであることが好ましい。各弾性体をかかる離間寸法において配設する場合には、おむつの内面視において内側レッグ弾性体５３が全体として所要の太さ（幅寸法）を有する目印として機能するからである。なお、離間寸法とは、一方の弾性体の側縁とそれに隣接する他方の弾性体の側縁までの寸法をいう。また、内側レッグ弾性体５３が外側レッグ弾性体５４よりも高い伸長倍率で固定されていることが好ましい。かかる場合には、内側レッグ弾性体５３の平面的な形状が安定し、おむつ１０の内面視において内側バリアカフ６０をより視認し易くなるからである。
【００４１】
また、吸収性パッド７０は固定手段７５ａ，７５ｂ，７５ｃを介してクロッチパネル１７に固定されるが、固定手段７５ａ，７５ｂ，７５ｃとともに又はそれがなくても、サイド弾性部５２の起立部分６７が着用者の身体に向かって起立して吸収性パッド７０の両側縁７０ｃ，７０ｄに当接してそれを支持するので、吸収性パッド７０を排泄物の収容スペース６２内に配置した後に、吸収性パッド７０が位置ずれして一部が折れ曲がったりすることはない。また、内側バリアカフ６０が内方へ延びていることによって、吸収性パッド７０の両側縁７０ｃ，７０ｄが内側バリアカフ６０の下方へ位置してその浮き上がりが防止されるので、収容スペース６２内において吸収性パッド７０が斜めになったりすることはない。このように、吸収性パッド７０が適正に配置されることによって、吸収性パッド７０において吸収しきれなかった体液をその下方に位置する吸液構造体１５で確実に吸収することができ、吸収性パッド７０（上層）と吸液構造体１５（下層）とは２層の吸収層としての役割を果たし、より多量の体液を保持、吸収することができる。
【００４２】
＜第３実施形態＞
図１２を参照すると、本実施形態においては、吸液構造体１５は、高吸収性ポリマー粒子（単に、吸収性ポリマー粒子ともいう。）のみから形成された吸収性コア８０と、肌対向面側に位置する質量約８〜１５ｇ／ｍ２、好ましくは、質量約１０ｇ／ｍ２の透水性の繊維不織布から形成された第１シート（上面シート）８１と、非肌対向面側に位置する質量約８〜１５ｇ／ｍ２、好ましくは、１１ｇ／ｍ２の透水性または難透水性のＳＭＳ繊維不織布から形成された第２シート（下面シート）８２とを含む。
【００４３】
また、吸液構造体１５は、吸収性コア８０が配置された、縦方向Ｙへ所与寸法離間する略矩形状に画成された吸液域８３と、吸収性コア８０が実質的に配置されていない、吸液域８３を取り囲むように形成された非吸液域８４とを有する。なお、本実施形態において、吸液域８３は、８つの区域に区分されているが、吸液構造体１５の要する吸収性能に応じてその面積、区域数を適宜変更することができる。また、後記の本発明の効果を奏する限りにおいて、吸収性コア８０は、高吸収性ポリマー粒子のみならずフラッフパルプや熱可塑性繊維などの公知の材料を一部に含むものであってもよい。
【００４４】
吸液域８３では、第２シート８２の内面に塗布されたホットメルト接着剤を介して質量約３０〜３００ｇ／ｍ２、好ましくは、質量約４０〜２８０ｇ／ｍ２の高吸水性ポリマー粒子がほぼ一様に固定されている。吸液域８３では、第１シート８１と第２シート８２とが部分的に固定されているか又はそれらが互いに固定されていないことが好ましい。非吸液域８４では、すなわち、吸液域８３間の離間部位及び吸液構造体１５の外周縁沿い全域においては、ホットメルト接着剤を介して第１及び第２シート８１，８２が互いに接合されている。
【００４５】
吸液構造体１５は、高吸収性ポリマー粒子のみから形成された吸収性コア８０とそれを包被するシート部材とのみから形成されシート状を有しているので、吸収性コア８０が高吸水性ポリマー粒子とフラッフパルプとの混合物から形成されている場合に比して薄く、クロッチパネル１７の動きに対する応動性に優れている。また、第１及び第２シート８１，８２が非吸液域８４において安定的に固定されていることによって所要の剥離強度を有するとともに、第１及び第２シート８１，８２の内面全体が固定されている場合に比して高い可撓性を有するものといえる。さらに、吸液域８３において高吸水性ポリマー粒子が一様に固定されていることから、着用者の動作及び姿勢のいかんにかかわらず、その分布に偏りを生じることはない。
【００４６】
また、吸液域８３において、高吸水性ポリマー粒子が許容量の限度まで配置されてその一部がホットメルト接着剤を介して固定されておらず、吸液域８３内において移動可能に包含されていてもよい。その場合には、吸液域８３が袋状を呈し、その内部に包含可能な高吸水性ポリマー粒子の総量の上限は、質量約４００ｇ／ｍ２である。かかる場合には、非吸液域８４は、吸液域８３から移動可能な高吸収性ポリマー粒子がこぼれ出るのを防止するために吸液域８３の周縁を封止するシール部としての機能を果たしうるが、製造工程において、高吸収性ポリマー粒子の一部が、吸液域８３における高吸収性ポリマー粒子の単位面積当たりの所要質量よりも少ない範囲において、非吸液域８４に配置されることがある。
【００４７】
本実施形態において、吸液構造体１５を含むクロッチパネル１７の略中央部の厚さは、具体的には、約５．０ｍｍ以下である。また、そのカンチレバー剛軟度は、約１５〜１４０ｍｍである。
【００４８】
＜厚さ測定方法＞
クロッチパネル１７の中央部の厚さは、厚さ測定器（ＰＥＡＣＯＣＫ社製）を用いて（測定子の直径約１０〜２０ｍｍ）測定することができる。
【００４９】
＜カンチレバー剛軟度の測定方法＞
ＪＩＳＬ１０９６のカンチレバー法に準拠し、おむつ１０のクロッチパネル１７の中央部からサンプル（横方向Ｘの長さ寸法５０ｍｍ，縦方向Ｙの長さ寸法１５０ｍｍ）を切り取り、各サンプルの肌対向面と非肌対向面とを測定する。測定回数（ｎ）は、３とする。
【００５０】
なお、吸液構造体１５は、所要の吸液性能と、上記の厚さ寸法による柔軟性を有する限りにおいて、吸液域８３と非吸液域８４に区画されたものではなく、吸液域８３が全域に形成されたシート状のものであってもよい。
【００５１】
おむつ１０を構成する各構成部材には、本明細書に記載されている材料のほかに、この種の物品において通常用いられている各種の公知の材料を制限なく用いることができる、また、本発明の明細書及び特許請求の範囲において、「第１」および「第２」の用語は、同様の要素、位置などを単に区別するために用いられている。
【００５２】
以上に記載した本発明に関する開示は、少なくとも下記事項に要約することができる。
縦方向及びそれに直交する横方向を有し、前ウエスト域と、後ウエスト域と、前記前後ウエスト域間に位置するクロッチ域と、前記前後ウエスト域を画定するウエストパネルと、前記ウエストパネルに取り付けられた、前記前後ウエスト域の一部及び前記クロッチ域を画定するクロッチパネルと、少なくとも前記クロッチ域に配置された吸液構造体とを含む使い捨て着用物品において、前記クロッチパネルが、前記横方向の両側に位置する弾性の内側バリアカフと弾性の外側バリアカフとを有し、前記外側バリアカフは、前記ウエストパネルの外面に前記横方向の外向きに固定され、前記内側バリアカフは、前記ウエストパネルの外面に前記横方向の内向きに固定される前記着用物品。
【００５３】
上記段落００５２に開示した本願発明は、少なくとも下記の実施の形態を含むことができる。
（１）前記内側バリアカフには、内面視において視認可能な装飾要素が配されている。
（２）前記内側バリアカフの内側縁に沿って、複数条のストリング状又はストランド状の内側レッグ弾性体が配設されており、前記外側バリアカフには複数条のストリング状又はストランド状の外側レッグ弾性体が配置される。
（３）前記内側レッグ弾性体には、色彩が付されている。
（４）前記クロッチパネルは、ベースシートと、前記吸液構造体の前記横方向の両側において縦方向へ延びる一対のサイド弾性部とを有し、前記ベースシートは、前記吸液構造体の位置する中央部と、前記中央部の前記横方向の外側に位置する両側部とを有し、前記サイド弾性部は、前記ベースシートの前記両側部の外側部位を内方へ折り曲げてその内側部位に接合域を介して固定して形成されたものであって、前記内側バリアカフは前記接合域から前記横方向の内側へ延びており、前記外側バリアカフは前記接合域から前記横方向の外側へ延びる。
（５）前記ベースシートは、クロッチ内面シートとクロッチ外面シートとから構成されており、前記クロッチ内面シートが、白色又は乳白色を有する防漏プラスチックフィルムから形成される。
（６）前記内側レッグ弾性体が、前記外側レッグ弾性体の伸長倍率よりも高い伸長倍率で収縮可能に固定される。
（７）前記内側レッグ弾性体における前記横方向の離間寸法は、約１〜１０ｍｍである。
（８）前記吸液構造体に着脱可能に取り付けられる吸収性パッドをさらに有し、前記吸収性パッドの両側縁のうち少なくとも一方が前記サイド弾性部の内側縁よりも前記横方向の外側に位置する。
（９）前記吸液構造体は、超吸収性ポリマー粒子を含む吸収性コアと、着用者の身体側に位置する透液性の第１シートと、不透液性の第２シートと、前記第１シートと前記第２シートとが互いに接合された非吸液域と、前記非吸液域に囲まれた、前記吸収性コアが包被された吸液域とを有する。
【符号の説明】
【００５４】
１０    使い捨て着用物品（使い捨ておむつ）
１１    前ウエスト域
１２    後ウエスト域
１３    クロッチ域
１５    吸液構造体
１６    ウエストパネル
１７    クロッチパネル
３４    クロッチ積層シート（ベースシート）
５０    クロッチ内面シート
５１    クロッチ外面シート
５２    サイド弾性部
５２    サイド弾性部の内側縁
５３    内側レッグ弾性体
５４    外側レッグ弾性体
５５    ベースシートの中央部
５６    ベースシートの両側部
５６Ａ  両側部の外側部位
５６Ｂ  両側部の内側部位
６０    内側バリアカフ
６１    外側バリアカフ
７０    吸収性パッド
７０ｃ，７０ｄ  吸収性パッドの両側縁
８０    吸収性コア
８１    第１シート
８２    第２シート
８３    吸液域
８４    非吸液域
【図１】
2014198135.tif 000003
【図２】
2014198135.tif 000004
【図３】
2014198135.tif 000005
【図４】
2014198135.tif 000006
【図５】
2014198135.tif 000007
【図６】
2014198135.tif 000008
【図７】
2014198135.tif 000009
【図８】
2014198135.tif 000010
【図９】
2014198135.tif 000011
【図１０】
2014198135.tif 000012
【図１１】
2014198135.tif 000013
【図１２】
2014198135.tif 000014